(57)【要約】      （修正有）【課題】自動支え装置を備えたスーツケースを提供する。【解決手段】ケース体１と、キャスター２と、支え装置３とを備える。キャスター２と、支え装置３がケース体１の側面に取り付けられ、支え装置３に固定軸と、支え具３２とを有し、固定軸をケース体１に固設し、支え具３２を固定軸に枢椄し、支え具３２の両側に支え部３２３と、作動部を延在し、ケース体１を傾斜姿勢から立ち姿勢に変わると、作動部が地面に係止して、支え具３２を枢転させて、支え部３２３の末端を地面に係止され、このとき、支え部３２３末端からケース体１先端までの距離がキャスター２の軸心からケース体１先端までの距離より大きいため、ケース体１が転倒する問題は発生しにくい。【選択図】図１
0003217411.tif 000002
【実用新案登録請求の範囲】
【請求項１】
自動支え装置を備えたスーツケースであって、
ケース体（１）と、キャスター（２）と、支え装置（３）とを備え、
前記キャスター（２）と、前記支え装置（３）をケース体（１）の側面に取り付けられ、
前記支え装置（３）に、固定軸（３１）と、支え具（３２）と、ストッパー（３３）とを有し、前記固定軸（３１）を前記ケース体（１）に固定し、側面に第１固定溝（３１１）と、第２固定溝（３１２）および前記第１固定溝（３１１）と、前記第２固定溝（３１２）との間に形成する係止部（３１３）とを有し、前記係止部（３２）に基部（３２１）を有し、前記基部（３２１）は、前記固定軸（３１）に枢接する枢接孔（３２２）と、それぞれ両側より延在する支え部（３２３）と、作動部（３２４）とを有し、前記ストッパー（３３）を前記支え具（３２）の前記基部（３２１）に設け、前記ストッパー（３３）の一端を前記枢椄孔（３２２）に露出していて、前記ケース体（１）が傾け姿勢で前記キャスター（２）によって移動走行するとき、前記ストッパー（３３）の末端が前記第２固定溝（３１２）に固定され、前記作動部（３２４）の末端を前記ケース体（１）の底面より露出され、一方、前記ケース体（１）を傾け姿勢から立ち姿勢に変わると、前記作動部（３２４）が前記地面（４）に当接して、前記支え具（３２）を枢転させ、前記ストッパー（３３）の末端部を前記第２固定溝（３１２）から引き離し前記係止部（３１３）を超えて、前記第１固定溝（３１１）に進入し、前記支え部（３２３）の末端を前記地面（４）に係止され、このとき、前記支え部（３２３）の末端から前記ケース体（１）先端までの距離が前記キャスター（２）の軸心から前記ケース体（１）先端までの距離より大きいことを特徴とする、自動支え装置を備えたスーツケース。
【請求項２】
前記支え装置（３）の前記支え具（３２）が前記枢椄孔（３２２）の一側に収容溝（３２５）を設けられ、前記ストッパー（３３）を前記収容溝（３２５）に収容していて、かつ、前記支え装置（３）を前記ストッパー（３３）と、前記収容溝（３２５）との間に弾性素子（３４）を設けることを特徴とする、請求項１記載の自動支え装置を備えたスーツケース。
【請求項３】
前記ケース体（１）は縁部が互いに接続された裏板（１１）と、表板（１２）と、底板（１３）と、天板（１４）と、２つの側板（１５）によって組み合わせられ、前記底板（１３）と、前記裏板（１１）との接続場所が前記ケース体（１）内側に引き込んで逃げ面（１６）を形成し、前記キャスター（２）を前記２つの側板（１５）に設けて、前記キャスター（２）位置側の外縁部を前記ケース体（１）の逃げ面（１６）より露出することを特徴とする、請求項１記載の自動支え装置を備えたスーツケース。
【請求項４】
前記支え装置（３）の前記固定軸（３１）の前記第１固定溝（３１１）底部端と、前記係止部（３１３）の上端によって形成する角度が前記第２固定溝（３１２）底部端と、前記係止部（３１３）の上端によって形成する角度より小さいことを特徴とする、請求項１記載の自動支え装置を備えたスーツケース。
【考案の詳細な説明】
【技術分野】
【０００１】
本案は、特にスーツケースが静止するときに、スーツケース前後両端の支え距離を増やせて、スーツケースを安定に停止させる自動支え装置を備えたスーツケースに関する。
【背景技術】
【０００２】
スーツケースの底部にキャスターを取り付けて、利用者が押し込んで走行するか、または引きずって走行することができる。現在はスーツケース全体体積の軽減を図るため、キャスターは比較的径の小さいものが採用されている。しかし、この種の径の小さいキャスターが平らでない地面（例えば、地面の裂け目または石畳道）で走行すると、キャスターが引っかかって走行できない問題が起きる。さらに、スーツケースを階段で走行するときは、利用者がスーツケースを持ち上げて移動させなければならない。
【考案の概要】
【考案が解決しようとする課題】
【０００３】
周知のとおり、比較的に径の大きいタイヤを使用すれば、平らでない地面または階段でスーツケースを引きずって走行することができる。よって、本案の考案者はキャスターをケース体の側面に取り付けると共に、キャスターの径を大きくする方法を考案したが、この種の方法は、スーツケースが停止状態のとき、キャスターの支点がケース体内側の付近部に位置しているため、ケース体が転倒しやすい課題が残されている。
【課題を解決するための手段】
【０００４】
本考案の主な目的は、スーツケースが停止中止に支え装置を地面に自動に支えて、ケース体両端の支え距離を増やせて、ケース体が転倒する欠点を無くすことにある。
【０００５】
前記目的を達成するため、本考案は、ケース体とキャスターと支え装置とを備える。キャスターと支え装置をケース体の側面に取り付け、支え装置に固定軸と支え具と移動制限具とを有し、固定軸をケース体に固設していて、かつ、側面に第１固定溝と第２固定溝と第１固定溝と第２固定溝との間に形成する係止部を設け、係止具に基部を有し、基部は、固定軸に枢接する枢椄孔と、それぞれ両側から延在された支え部と、作動部を有し、ストッパーを支え具の基部に取り付けられ、ストッパーの一端を枢椄孔の内部にて露出し、基部に向かって弾性に引き込むことができる。
【０００６】
ケース体を傾けさせて、キャスターで移動するとき、移動制限具の末端部が第２固定溝に固定され、作動部の末端をケース体の底面より露出させる。一方、ケース体を傾け姿勢から立ち姿勢に変わると、作動部が地面の係止によって、移動制限具の末端部が第２固定溝より引き離して、係止部を超えて第１固定溝に進入し、支え部の末端が地面に係止される。このとき、支え部の末端からケース体の先端までの距離がキャスターの軸心からケース体先端までの距離より大きい。
【図面の簡単な説明】
【０００７】
【図１】本考案の立体外観図である。
【図２】本考案の側視図である。
【図３】本考案の立体分解図である。
【図４】本考案のケース体を引きずって走行するときの側視図である。
【図５】本考案のケース体を引きずって走行する態様を示す図である。
【図６】本考案のケース体を引きずって走行するときの局所拡大図である。
【図７】本考案のケース体の立ち姿勢を示す図である。
【図８】本考案のケース体の立ち姿勢の局所拡大図である。
【図９】本考案のケース体の立ち姿勢を示す図である。
【図１０】本考案のケース体の立ち姿勢の局所拡大図である。
【考案を実施するための形態】
【実施例】
【０００８】
図１ないし図４を参照する。本考案は、ケース体１とキャスター２と支え装置３と、を備える。
【０００９】
そのうち、ケース体１は、縁部が互いに接続された裏板１１と、表板１２と、底板１３と、天板１４と、２つの側板１５によって組み合わされる。さらに、底板１３と、裏板１１との接続場所がケース体１の内側に引き込んで逃げ面１６を設けられ、裏板１１にキャリーハンドル１７を設けられ、本考案において、逃げ面１６はアーチ形で設けられている。２つの側板１５は裏板１１と底板１３両側の間に、第１固定溝１５１を凹設し、側板１５は第１固定溝１５１の底面に位置決め孔１５２と第２固定溝１５３を設け、第２固定溝１５３を逃げ面の付近場所に設ける。
【００１０】
キャスター２は、キャスター座２１と、キャスター座２１の外縁部に枢設するタイヤ２２を有し、キャスター座２１の一側に固定柱２３を延在し、固定柱２３をケース体１の位置決め孔１５２に固定することによって、タイヤ２２位置側の外縁部をケース体１の逃げ面１６より露出させて、平らでない地面または階段でケース体１を引きずって走行することができる。
【００１１】
支え装置３は、固定軸３１と、支え具３２と、位置制限具３３とを有し、固定軸３１をケース体１の第２固定溝１５３に固定し、側面に第１固定溝３１１と、第２固定溝３１２と、第１固定溝３１１と、第２固定溝３１２との間に形成する係止部３１３を設けていて、かつ、第１固定溝３１１の底部端と係止部３１３の上端で形成される角度θ１が第２固定溝３１２の底部端と係止部３１３の上端で形成される角度θ２より小さい。支え具３２に基部３２１を有し、基部３２１は、固定軸３１に設ける枢椄孔３２２と、それぞれ両側より延在する支え部３２３と、作動部３２４とを有しており、支え具３２は、枢椄孔３２２の一側に収容溝３２５を設け、位置制限具３３を収容溝３２５に収容していて、かつ、位置制限具３３と、収容溝３２５との間に弾性素子３４を設けることによって、位置制限具３３の一端が枢椄孔３２２の内部に露出して、基部３２１に向かって弾性に引き込むことができる。
【００１２】
図４ないし図１０を参照し、図５と図６からわかるように、ケース体１を傾けさせて、キャスター２で移動するとき、ストッパー３３の末端部が第２固定溝３１２に固定され、作動部３２４の末端をケース体１の底面より露出させる。さらに、支え部３２３と、作動部３２４の末端部と、底板１２に鋏角を形成しており、ケース体１が傾け姿勢で引きずって走行を妨げない。引き続き、図７ないし図１０に示すように、ケース体１を傾け姿勢から立ち姿勢に変わると、作動部が底板１３より露出して、地面４の係止によって、支え具３２を枢転させ、ストッパー３３の末端部が第２固定溝３１２より引き離して、係止部３１３を超えて第１固定溝３１３に進入し、支え部３２３の末端が地面４に係止される。このとき、支え部３２３の末端からケース体１の表板１２までの距離がキャスター２のタイヤ２２軸心からケース体１の表板１２までの距離より大きい。さらに、ケース体１を立ち姿勢から傾け姿勢に変わると、第１固定溝３１１の底部端と係止部３１３の上端によって形成する角度は、第２固定溝３１２の底部端と係止部３１３の上端によって形成する角度より小さいため、位置制限具３３をすばやく第１固定溝３１１から第２固定溝３１２に移動することができる。それに加えて、係止部３１３の両側が傾斜状を形成しているため、位置制限具３３の末端部が係止部３１３の上端を超えた後、自動的に第１固定溝３１１または第２固定溝３１２に進入される。
【符号の説明】
【００１３】
１      ケース体
１１    裏板
１２    表板
１３    底板
１４    天板
１５    側板
１５１  第１固定溝
１５２  位置決め孔
１５３  第２固定溝
１６    逃げ面
１７    キャリーハンドル
２      キャスター
２１    キャスター座
２２    タイヤ
２３    固定柱
３      支え装置
３１    位置決め軸
３１１  第１固定溝
３１２  第２固定溝
３１３  係止部
３２    支え具
３２１  基部
３２２  枢椄孔
３２３  支え部
３２４  作動部
３２５  収容溝
３３    ストッパー
３４    弾性素子
４      地面
【図１】
0003217411.tif 000003
【図２】
0003217411.tif 000004
【図３】
0003217411.tif 000005
【図４】
0003217411.tif 000006
【図５】
0003217411.tif 000007
【図６】
0003217411.tif 000008
【図７】
0003217411.tif 000009
【図８】
0003217411.tif 000010
【図９】
0003217411.tif 000011
【図１０】
0003217411.tif 000012
【手続補正書】
【提出日】平成30年6月8日(2018.6.8)
【手続補正１】
【補正対象書類名】実用新案登録請求の範囲
【補正対象項目名】全文
【補正方法】変更
【補正の内容】
【実用新案登録請求の範囲】
【請求項１】
自動支え装置を備えたスーツケースであって、
ケース体（１）と、キャスター（２）と、支え装置（３）とを備え、
前記キャスター（２）と、前記支え装置（３）がケース体（１）の側面に取り付けられ、前記支え装置（３）に、固定軸（３１）と、支え具（３２）と、ストッパー（３３）とを有し、前記固定軸（３１）を前記ケース体（１）に固定し、側面に第１固定溝（３１１）と、第２固定溝（３１２）および前記第１固定溝（３１１）と、前記第２固定溝（３１２）との間に形成する係止部（３１３）とを有し、前記支え具（３２）に基部（３２１）を有し、前記基部（３２１）は、前記固定軸（３１）に枢接する枢接孔（３２２）と、それぞれ両側より延在する支え部（３２３）と、作動部（３２４）とを有し、前記ストッパー（３３）を前記支え具（３２）の前記基部（３２１）に設け、前記ストッパー（３３）の一端を前記枢接孔（３２２）に露出していて、前記ケース体（１）が傾け姿勢で前記キャスター（２）によって移動走行するとき、前記ストッパー（３３）の末端が前記第２固定溝（３１２）に固定され、前記作動部（３２４）の末端が前記ケース体（１）の底面より露出され、一方、前記ケース体（１）を傾け姿勢から立ち姿勢に変わると、前記作動部（３２４）が地面（４）に当接して、前記支え具（３２）を枢転させ、前記ストッパー（３３）の末端部を前記第２固定溝（３１２）から引き離し前記係止部（３１３）を超え
て、前記第１固定溝（３１１）に進入し、前記支え部（３２３）の末端が前記地面（４）に係止され、このとき、前記支え部（３２３）の末端から前記ケース体（１）先端までの距離が前記キャスター（２）の軸心から前記ケース体（１）先端までの距離より大きいことを特徴とする、自動支え装置を備えたスーツケース。
【請求項２】
前記支え装置（３）の前記支え具（３２）が前記枢接孔（３２２）の一側に収容溝（３２５）を設けられ、前記ストッパー（３３）を前記収容溝（３２５）に収容していて、かつ、前記支え装置（３）は前記ストッパー（３３）と、前記収容溝（３２５）との間に弾性素子（３４）を設けることを特徴とする、請求項１記載の自動支え装置を備えたスーツケース。
【請求項３】
前記ケース体（１）は縁部が互いに接続された裏板（１１）と、表板（１２）と、底板（１３）と、天板（１４）と、２つの側板（１５）によって組み合わせられ、前記底板（１３）と、前記裏板（１１）との接続場所が前記ケース体（１）内側に引き込んで逃げ面（１６）を形成し、前記キャスター（２）を前記２つの側板（１５）に設けて、前記キャスター（２）位置側の外縁部を前記ケース体（１）の逃げ面（１６）より露出することを特徴とする、請求項１記載の自動支え装置を備えたスーツケース。
【請求項４】
前記支え装置（３）の前記固定軸（３１）の前記第１固定溝（３１１）底部端と、前記係止部（３１３）の上端によって形成する角度が前記第２固定溝（３１２）底部端と、前記係止部（３１３）の上端によって形成する角度より小さいことを特徴とする、請求項１記載の自動支え装置を備えたスーツケース。
@@@@@@end